(57)【特許請求の範囲】
【請求項１】
前胸マウンティング基体と、
前記前胸マウンティング基体は、対象者のほぼ心臓の高さで前記対象者に固定されるように構成されつつ、前記前胸マウンティング基体に選択的に取り付け可能となるように構成された複数の圧力トランスデューサと、
前記複数の圧力トランスデューサに結合された電気的インターフェースであって、前記少なくとも１つの圧力トランスデューサから受信デバイスに電気信号を伝えるための電気的インターフェースと、
対象者の血流から前記少なくとも１つの圧力トランスデューサに流体を提供するように構成可能なルーメンセットと、
を備える血行動態検知デバイス。
【請求項２】
前記複数の圧力トランスデューサのすべてに流体を提供するための単一の供給ルーメンをさらに備える請求項１に記載の血行動態検知デバイス。
【請求項３】
前記ルーメンセットに接続された採血ポートをさらに備える請求項１に記載の血行動態検知デバイス。
【請求項４】
前記前胸マウンティング基体は、粘着性パッドをさらに備える請求項１に記載の血行動態検知デバイス。
【請求項５】
前記電気的インターフェースは、電気的コネクタ、電気ケーブル、および無線送信機のうちの少なくとも１つをさらに備える請求項１に記載の血行動態検知デバイス。
【請求項６】
血行動態モニタリングを行うための方法であって、前記血行動態モニタリングを行うための方法は、
ほぼ心臓の高さで対象者に取り付けられるようにマウンティング基体を構成するステップと、
前記マウンティング基体に複数の圧力トランスデューサを選択的に取り付けて集積化デバイスパッケージを形成するステップと、
前記複数の圧力トランスデューサから受信デバイスに電気信号を伝えるように動作することができるように、電気的インターフェースに前記複数の圧力トランスデューサを接続するステップと、
前記複数の圧力トランスデューサにルーメンセットを接続するステップと、
を備える、血行動態モニタリングを行うための方法。
【請求項７】
前記複数の圧力センサに単一の供給ルーメンを接続するステップをさらに備える請求項６に記載の血行動態モニタリングを行うための方法。
【請求項８】
前胸マウンティング基体が、粘着性パッドである請求項６に記載の血行動態モニタリングを行うための方法。
【請求項９】
前記電気的インターフェースは、電気的コネクタを備える請求項８に記載の血行動態モニタリングを行うための方法。
【請求項１０】
前記電気的インターフェースは、電気ケーブルを備える請求項８に記載の血行動態モニタリングを行うための方法。
【請求項１１】
前記電気的インターフェースは、無線送信機を備える請求項８に記載の血行動態モニタリングを行うための方法。
【請求項１２】
前胸にマウントされる単一の支持基体と、
前記単一の支持基体に選択的に取り付け可能となるように構成された複数の圧力トランスデューサと、
前記複数の圧力トランスデューサのための電気的インターフェースであって、前記複数の圧力トランスデューサから受信デバイスに電気信号を伝えるように構成された電気的インターフェースと、
対象者の血流から前記複数の圧力トランスデューサに流体を提供するように構成可能なルーメンセットと、
を備える集積化血行動態検知デバイス。
【請求項１３】
前記複数の圧力トランスデューサのすべてに前記流体を提供するための単一の供給ルーメンをさらに備える請求項１２に記載の集積化血行動態検知デバイス。
【請求項１４】
前記ルーメンセットに接続された採血ポートをさらに備える請求項１２に記載の集積化血行動態検知デバイス。
【請求項１５】
前記単一の支持基体は、粘着性パッドをさらに備える請求項１２に記載の集積化血行動態検知デバイス。
【請求項１６】
前記電気的インターフェースは、電気的コネクタ、電気ケーブル、および無線電送機のうちの少なくとも１つをさらに備える請求項１２に記載の集積化血行動態検知デバイス。
【請求項１７】
血行動態モニタリングを行う装置であって、前記血行動態モニタリングを行う装置は、
複数の圧力トランスデューサを一緒に動作可能なように接続して集積化デバイスを形成する手段と、
ほぼ心臓の高さで対象者に前記集積化デバイスを取り付ける手段と、
電気的インターフェースに前記複数の圧力トランスデューサを動作可能なように接続して前記複数の圧力トランスデューサから受信デバイスに電気信号を伝えるように動作することができる手段と、
前記複数の圧力トランスデューサにルーメンセットを動作可能なように接続して前記対象者の血流から前記複数の圧力トランスデューサに流体を提供するように動作することができる手段と、
を備える血行動態モニタリングを行う装置。
【請求項１８】
対象者から採血するための手段をさらに備える請求項１７に記載の血行動態モニタリングを行う装置。
【請求項１９】
前記複数の圧力トランスデューサのうちの少なくともいくつかを選択的に接続して前記集積化デバイスを形成するための手段をさらに備える請求項１７に記載の血行動態モニタリングを行う装置。
【発明の詳細な説明】
【背景技術】
【０００１】
ショックまたは心血管障害に苦しむ患者などのような様々な身体の病気を診断および処置するとき、医療従事者は、患者の血圧を測定またはモニタリングすることが望ましいと考えることがよくある。これらのタイプの患者および別のタイプの患者の血圧を測定およびモニタリングすることにより、医療従事者は、早期の段階で、血流の悪化および別の心血管障害を、より検出することができる。その結果、血圧の測定およびモニタリングの利用は、患者が良好に治療を受けることできるかまたは必要な緊急支援を受けることできる可能性を高めることがある。
【０００２】
現在、血圧を測定およびモニタリングするために、種々の方法が用いられている。たとえば、医療従事者は、圧力カフおよび聴診器を用いることにより患者の血圧を測定することなどの種々の間接的な血圧測定手技をしばしば用いる。加えて、血圧測定は、多くの直接的な測定およびモニタリング手技を用いてしばしばなされる。特に、重症の患者を診断または処置するとき、このような直接的な手技は、どのような間接的な手技よりもしばしば好まれる。直接的な血圧測定およびモニタリング手技は一般的に、より正確であるとともに、一拍ごと（beat-to-beat basis）に患者の血圧を連続的にモニタリングすることを、より容易にする。直接的な血圧モニタリングは、心血管の作用（cardiovascular activity）の変化を迅速に検出することも可能にし、しかもこれは緊急事態において非常に重要となり得る。
【０００３】
少なくともいくつかの直接的かつ観血的な血圧モニタリングシステムにおいて、カテーテルは、患者の循環器系に挿入され、カテーテルの端部は、典型的には大血管または抹消血管中の血流への開口部を有する。ＩＶセットは、患者から突き出るカテーテルの近位端に取り付け、その結果、溶液はカテーテルを通して患者へと流れる。ＩＶ溶液は、脈圧を伝えるための流体柱を提供し、かつ流体柱に沿って位置する圧力トランスデューサは、その脈圧をモニタリングする。モニタに接続された使い捨て血圧トランスデューサ（ＤＰＴｓ）は、医療施設のＯＲ、ＩＣＵ、またはＣＣＵにおいてしばしば用いられる。トランスデューサおよびモニタの分離可能な機能のため、ケーブルコネクタの電気的インターフェースに互換性があるのであれば、異なるトランスデューサは、任意の１つのモニタに接続可能である。
【発明の概要】
【課題を解決するための手段】
【０００４】
開示される概念の態様は、複数の血行動態圧力トランスデューサまたはセンサを単一のデバイスパッケージに集積するデバイスを提供する。センサパッケージは、モニタされる対象者に取り付けられるとともに、対象者のほぼ心臓付近に装着されるように設計されたマウンティング基体を含むことができる。別の言い方をすれば、デバイスは、対象者への前胸マウンティングのために設計することができ、その結果、別個の支持体を用いて対象者の心臓に対するセンサの「レベリング」をすることなく、および対象者のポジションに関係なく、圧力読取値は、十分に正確であるとともに、適切に校正される。いくつかの態様において、すべてのトランスディーサを含むアセンブリは、ＩＶバッグへのチューブなどの単一のルーメンを通して提供することができる。
【０００５】
少なくともいくつかの態様にかかる血行動態検知デバイスは、前胸マウンティング基体と、前胸マウンティング基体は入院患者などの対象者に固定されつつ、前胸マウンティング基体に取り付け可能となるように構成された少なくとも１つの圧力トランスデューサと、を含む。電気的インターフェースは、少なくとも１つの圧力トランスデューサのために提供される。電気的インターフェースは、少なくとも１つの圧力トランスデューサからの電気信号を、ベッドサイドの医療用モニタなどの受信デバイスに伝えるように構成されている。ルーメンセットは、対象者の血流から少なくとも１つの圧力トランスデューサに流体を提供するように構成することができる。
【０００６】
いくつかの態様において、血行動態検知デバイスは、複数の圧力トランスデューサを含む。いくつかの態様において、圧力トランスデューサまたはセンサは、マウンティング基体に選択的に取り付け可能となるように構成されている。代替的に、さまざまな数のセンサを有する検知デバイスを製造することができ、医療従事者により適宜選択することができる。いくつかの態様において、血行動態検知デバイスは、複数の圧力トランスデューサのすべての流体柱に流体を提供するための単一の供給ルーメンを含み、したがってデバイスを使用するのに必要な供給チューブの数を減らす。
【０００７】
いくつかの態様において、デバイスは、ルーメンセットに接続された採血ポートを含み、その結果、モニタリングされる対象者に、追加の部位をつくることなく、定期的な血液検査を実施することが可能である。少なくともいくつかの態様において、圧力トランスデューサのためのマウンティング基体は、心臓の高さでまたは心臓の高さ近くにて、対象者の皮膚に位置決めするための粘着性パッドであるか、または該粘着性パッドを含む。集積化センサデバイスパッケージも、対象者直接に代えて、対象者の服に、デバイスをマウントするためのファスニング機構を含むことができる。例示的な態様において、受信システムまたはデバイスへの電気信号の伝送は、取外可能コネクタを有するか若しくは取外可能コネクタを有しないケーブルを通して、または無線送信機を通して、提供可能である。
【０００８】
上述したように、例示的な態様にかかるデバイスは、モジュール方式で提供することができ、その結果、現場で個々のニーズを満たすために、必要な数のトランスデューサを一緒に組み立てることができる。代替的に、センサデバイスパッケージは、あらかじめ組み立てることができる。どちらの場合にも、デバイスを使用するために、１つの圧力センサまたは複数の圧力センサは、マウンティング基体に取り付けることができ、該マウンティング基体は、ほぼ心臓の高さで対象者に取り付けられるように設計されている。センサは、受信デバイスに電気信号を伝えるように動作することができるように、電気的インターフェースに接続することができ、かつルーメンセットは、圧力センサと対象者との間に流体柱を維持するように動作することができるように、接続することができる。これらのコンポーネントは、適切なモニタとともに用いると、医療従事者に様々な時点で患者の圧力をモニタリングする手段を提供する。
【０００９】
本明細書に開示される概念のいくつかの態様において、単一の支持基体は、複数の圧力トランスデューサを一緒に接続するとともに、トランスデューサから受信デバイスに電気信号を伝えるために、電気的インターフェースに接続される、これらのトランスデューサを提供する。ルーメンセットは、対象者の血流から複数の圧力トランスデューサに流体を提供するように構成可能である。このようにして、医療従事者が、そうでなければそうであるように多くの個々のセンサデバイスおよびコネクタを日常的に扱う必要がないように、集積化デバイスを提供することができる。いくつかの態様において、単一の支持基体は、前胸マウントされるように構成される。集積化血行動態検知デバイスは、単一の支持基体に選択的に取り付け可能となるように構成された複数の圧力トランスデューサを含むことができる。
【図面の簡単な説明】
【００１０】
【図１】図１は、開示される概念の例示的な実施形態にかかるデバイスの比較的拡大斜視図である。
【図２】図２は、例示的な実施形態にかかるデバイスの斜視図である。図２に示した視点において、チューブおよび電気的接続ケーブルが見える。
【図３】図３は、センサパッケージが採血ポートを含む、追加の実施形態にかかるデバイスを示す。
【図４】図４は、モニタリングされる対象者に装着されるような、例示的な実施形態にかかるデバイスを示す。
【図５】図５は、デバイスがモジュラー方式またはキット方式で提供される、実施形態にかかるデバイスの概略斜視図である。
【発明を実施するための形態】
【００１１】
本明細書において用いられる「センサ」という用語は、対象者の身体において検知される物理的特性を検出する、定量する、若しくは同定することができるデバイス、コンポーネント、またはデバイスの領域に関する。使い捨て圧力トランスデューサ（ＤＰＴ）は、センサであり、該センサは、典型的に識別子を含み、該識別子は、関連モニタにより検出することができ、その結果、モニタはデバイス特性を認識する。モニタがＤＰＴのタイプを互換性のあるものとして認識した場合は、圧力測定を進めることができる。「基体」という用語は、この用語が１つのセンサまたは複数のセンサを固定することができるフラットな物品を包含するだけでなく、すべてのセンサまたはセンサアセンブリをカバーしてそれらを単一のデバイスパッケージに集積するとともに複数の圧力トランスデューサを一緒に動作可能なように接続して集積化デバイスを形成する手段を提供するハウジングも包含することが意図されるという点で広義を意味する。
【００１２】
圧力トランスデューサは、ルーメン内の流体センサなどの圧力を検知または測定することができ、動脈カテーテルから体外へ導くことができ、および、このような圧力をモニタまたはディスプレイなどの受信デバイスに伝えることができる信号に変換することができるセンサである。多くのこのような圧力トランスデューサが知られている。本明細書に記載される概念の実施形態において、特に必要とされるものはなく、多くを用いることができる。血圧は、直接的に（すなわち、血液若しくはＩＶ流体との直接の身体的接触によって）または間接的に（すなわち、光学的に若しくは皮膚を通した脈打つ部分にて）検知することができる。皮膚と接接している外部圧電センサなどの低侵襲的な手技は有効であるものの、たとえば、動脈血と直接接触しているカテーテルによる流体圧力トランスデューサ、または動脈血と接触している流体柱は、ＯＲ、ＩＣＵまたはＣＣＵにおける標準的技法として現在受け入れられている。
【００１３】
開示される概念のいくつかの実施形態によれば、ＩＶセットは、患者から突き出るカテーテルの近位端に取り付け、その結果、溶液は、カテーテルを通して患者へと流れる。ＩＶ溶液は、脈圧を伝えるための流体柱を提供し、かつ流体柱に沿って位置する圧力トランスデューサは、圧力の変化を検知して血行動態モニタリングを行う。概して、圧力トランスデューサは、ＩＶ溶液用のリザーバとして機能するドームで構成することができる。ドームは、弾性ダイヤフラムを含み、弾性ダイヤフラムは、電気変換器のコンポーネントに取り付ける。圧力トランスデューサは、弾性ダイヤフラムの圧力変動を検知するとともに、該圧力変動を電気信号に変換する。電気信号は次に、ケーブルを通して、増幅および表示のためのモニタなどの受信デバイスに伝えられる。圧力トランスデューサ内部の単一のシリコンチップは、圧力ダイヤフラムと、圧力トランスデューサの測定回路と、の両方を含むことができる。このようなシリコンチップは、安く大量生産することができるので、圧力トランスデューサのトータルコストは、圧力トランスデューサが経済的に使い捨て可能なようなものである。ケーブルは、コネクタを含み、その結果、圧力トランスデューサおよびケーブルの関連部分は、使用後に廃棄することができる一方、モニタに配線で接続される、はめ合わせコネクタおよびケーブルは、再使用可能である。このような使い捨て血圧トランスデューサ（ＤＰＴｓ）は、ＯＲ、ＩＣＵまたはＣＣＵにおけるケアの標準である。ＤＰＴの既知受信システムとの互換性は、基準の使用を通して確保される。たとえば、国際電気標準会議は、ＤＰＴインターフェースのための基準、すなわちＩＥＣ ６０６０１−２−３４を含む。
【００１４】
上述したように流体柱中の圧力を検知する圧力トランスデューサから圧力読取りの際に正確性を維持するためには、患者の循環系とセンサとの間のサイフォン圧力差（siphonic pressure difference）は、最小にしなければならない。これは、圧力トランスデューサを「出力ゼロ化」または「レベリング」することにより、実際に達成することができ、したがって圧力トランスデューサは、患者の心臓と物理的に同じ高さかまたは少なくとも実質的に同じ高さになる。
【００１５】
身体のさまざまな部位にて圧力をモニタリングする必要がしばしばある。したがって、複数の流体柱は、ルーメンセットを介して提供され、該ルーメンセットは、複数のプラスチック製ＩＶチューブにより実装可能である。ＩＶチューブが取り付けられたセンサは、患者が動くときまたは患者が医療従事者により動かされたとき、手動で調節される可動ブラケットにマウントすることができる。代替的に、以下に開示される概念の実施形態は、トランスデューサがモニタリングされる対象者とともに自動的に動くことによりセルフレベリングするシステムを提供することができる。センサと、センサをレベリングする機構と、を含むデバイスは、本明細書では、「圧力検知」デバイス、「血圧検知」デバイス、「血行動態モニタリング」デバイス、「圧力モニタリング」デバイス、または任意の他の類似する用語を用いることができる。
【００１６】
図１は、本明細書に開示される概念の例示的な実施形態にかかるセルフレベリングする集積化血行動態検知デバイスの比較的拡大斜視図である。デバイス１００は、前胸マウンティング基体１０２を含む。複数の圧力トランスデューサアセンブリ１０４は、前胸マウンティング基体１０２に取り付けられる。リボンケーブル１０６を含む電気的インターフェースは、圧力トランスデューサアセンブリ１０４にワイヤを運ぶ。圧力トランスデューサアセンブリは、位置決めハウジングを含み、該位置決めハウジングは、流体を受け入れることができるとともに、位置決めハウジングの内部にトランスデューサコンポーネント自身を含み、その結果、位置決めハウジングは、複数のトランスデューサに流体を提供するための手段の少なくとも一部を提供する。トランスデューサアセンブリから通じるワイヤは、ベッドサイドモニタなどの受信デバイスに最終的に接続する。複数のＩＶチューブを介して実装されるルーメンセット１０８は、各圧力トランスデューサと対象者の血流との間に流体柱を維持する。この特定の場合において、ルーメンセットは、３つのチューブを含み、かつデバイスは、一緒に連結されるとともに前胸マウンティング基体１０２に取り付けられる３つのトランスデューサアセンブリ１０４を含む。したがって、複数の独立した圧力トランスデューサは、単一の集積化パッケージと置き換えることができる。
【００１７】
さらに図１を参照すると、デバイス１００は、デバイス中のすべての圧力トランスデューサの流体柱に流体を提供するための、単一の供給ルーメンも含む。単一の供給ルーメンは、ＩＶチューブ１１０により実装される。この例示的な実施形態において、前胸マウンティング基体１０２は、粘着性パッドを含む。この粘着性パッドは、対象者に心臓の高さで装着することができ、その結果、圧力トランスデューサアセンブリ１０４は、対象者と共に動き、対象者の心臓に対して「ゼロ化」を維持することができ、サイフォン圧力差により生じるエラーを減らす。注目すべきは、電気的インターフェースを、ワイヤレスでおよびケーブルを通して提供することができることである。無線接続性のために任意のさまざまな規格、たとえばＡＮＴ、Ｂｌｕｅｔｏｏｔｈ（登録商標）、またはＷｉ−Ｆｉを用いることができる。いくつかの無線接続によれば、圧力検知デバイスおよびルーメンは、かなりの距離でも、接続されたディスプレイモニタから遠く離れて配置することができる。図１において、圧力トランスデューサ自身は、トランスデューサアセンブリ内部に見ることができないものの、後述される追加の実施形態に示されるように、アセンブリのハウジングが透明材料でつくられた場合、圧力トランスデューサ自身は見ることができる。
【００１８】
図２は、血行動態検知デバイス１００の別の図である。図２において、デバイスからさらに遠ざかる方向からの視点が読み手に示されている。見える多くのコンポーネントは、図１において見えるものと同じコンポーネントなので、同じ符号が用いられている。しかしながら、リボンケーブル１０６は、その端部まで見ることができ、電気的コネクタ１１２も、圧力トランスデューサアセンブリ１０４のための電気的インターフェースの一部を形成する。また、図２において見えるものは、供給ルーメン１１０のための流体リザーバを提供するＩＶバッグのためのコネクタ１１４である。
【００１９】
図３は、本明細書に開示される概念の実施形態にかかる別のデバイスを示す。デバイス３００は、前胸マウンティング基体３０２を含む。複数の圧力トランスデューサ３０４は、圧力トランスデューサアセンブリ３０５の内部に設けられ、該圧力トランスデューサアセンブリ３０５は、前胸マウンティング基体３０２に取り付けられるとともに、透明な位置決めハウジングを含む。リボンケーブル３０６は、圧力トランスデューサにワイヤを運ぶ。この特定の場合において、各圧力トランスデューサと対象者の血流との間に流体柱を維持するルーメンセットは、４つのチューブを含み、かつデバイスは、一緒に連結されるとともに前胸マウンティング基体１０２に取り付けられる４つの圧力トランスデューサアセンブリ３０５を含む。チューブ３０８は３つのルーメンを実装する。この場合において、外側チューブ３０９は、ルーメンセットから別のルーメンを実装して、流体を第四トランスデューサに提供する。
【００２０】
さらに図３を参照すると、圧力または血行動態検知デバイス３００も、デバイス中のすべての圧力トランスデューサの流体柱に流体を提供するための、単一の供給ルーメンを含む。単一の供給ルーメンは、ＩＶチューブ３１０により実装され、ＩＶチューブ３１０は、この場合において、４つのトランスデューサのうちの１つに流体を提供するチューブと同じ側にあるデバイスから突き出る。この例示的な実施形態において、前胸マウンティング基体３０２は、粘着性パッドであるかまたは粘着性パッドを含み、該粘着性パッドは、対象者に心臓の高さで装着して対象者の心臓に対する「ゼロ化（zeroed）」を維持することができる。図３のデバイス３００は、ルーメンセットに内部連結された任意選択の採血ポート３２０を含むことができる。この採血ポートは、追加のアクセス部位をつくることなく、モニタリングされる対象者に、定期的な血液検査を実施することを可能にする。したがって、この場合もはやり、複数の独立した圧力トランデューサを、単一の集積化パッケージと置き換えることができる。さらに、図３の実施形態において、採血ポートは、集積化パッケージに含めることができる。
【００２１】
図４は、モニタリングされる対象者に装着されるような、例示的な実施形態にかかるデバイスの概略図である。図４において、セルフレベリング圧力感知デバイス４００は、上述したものと同様、心臓の高さと実質的に同じ高さになるように、前胸エリアにおいて、対象者４０３に装着されている。デバイス４００中の圧力トランスデューサは、部位４６０で、対象者の右腕における橈骨動脈内圧力をモニタリングする。ルーメン４６２は、部位４６０とデバイス４００中のトランスデューサとの間に流体柱を提供する。同様に、デバイス４００中の別の圧力トランスデューサは、部位４６８で、対象者の首における頸動脈内圧力をモニタリングする。ルーメン４７２は、部位４６０と圧力検知デバイス４００中のトランスデューサとの間に流体柱を提供する。図４の例において、ベッドサイドモニタ（図示省略）への電気的インターフェースは、電気ケーブル４７４および供給ルーメン４７６を介して、ルーメン４６２およびルーメン４７２中の流体柱に流体を提供して、圧力トランスデューサが対象者４０３の圧力を送ることができるようにする。デバイス４００は、一緒にパッケージ化された複数のトランスデューサを有し、ワイヤおよびチューブの数を減らし、よりきれいな外見になりひいては患者の安心を高める、集積化デバイスである。
【００２２】
図５は、モジュラー方式で提供される血行動態モニタリングデバイスを示し、キットは、現場で必要な数の圧力トランスデューサを一緒に組み立てることができて個々のニーズを満たすように、形成する。図５のデバイス５００は、前胸マウンティング基体５０２を含む。前胸マウンティング基体５０２は、この場合もやはり、粘着性パッドとするか若しくは粘着性パッドを含むことが可能であり、またはほぼ心臓の高さで対象者若しくは対象者の衣服にデバイスを取り付けるための手段として用いることができる別のファスナとすることが可能である。前胸マウンティング基体５０２は、マウンティングブラケット５０５と、ルーメン管理ブラケット５０７および５０９と、を含んで、少なくとも一部は、複数のトランスデューサのうちの少なくともいくつかを選択的に接続して現場で集積化デバイスを形成するための手段を提供する。ストレインリリーフ部５１５は、電気ケーブル５１７を支える。単一の供給ルーメンは、ＩＶチューブ５２１により実装される。使い捨て圧力トランスデューサ５２５、５２７、および５２９は、マウンティングブラケット５０５にはめ込んで、１つ、２つ、または３つのトランスデューサシステムを構築することができる。各トランスデューサアセンブリは、物理的圧力トランスデューサデバイス５３２を含む。デバイス５００の放射状デザインにより、使い捨て圧力トランスデューサ５２５は必然的に第一トランスデューサとすることができ、使い捨て圧力トランスデューサ５２７は必然的に第二トランスデューサとすることができ、および使い捨て圧力トランスデューサ５２９は必然的に第三トランスデューサとすることができる。採血ポートのように、第四トランスデューサは、いくつかのキットにインストールすることができる。図５のデバイス５００は、単なる例示に過ぎない。モジュール方式の血行動態モニタリングデバイスは、すべてのトランスデューサアセンブリが同じサイズであるとともに取り換え可能であるように、設計することができる。
【符号の説明】
【００２３】
１００  血行動態検知デバイス
１０２、３０２、５０２  前胸マウンティング基体
１０４、３０５  圧力トランスデューサアセンブリ
１０６  リボンケーブル（電気的インターフェース）
１０８  ルーメンセット
１１０、３１０、５２１  ＩＶチューブ
１１２  電気的コネクタ（電気的インターフェース）
３００  血行動態検知デバイス
３２０  採血ポート
４００  圧力感知デバイス
５００  デバイス
５２５、５２７、５２９  使い捨て圧力トランスデューサ
【図１】
0006655179.tif 000002
【図２】
0006655179.tif 000003
【図３】
0006655179.tif 000004
【図４】
0006655179.tif 000005
【図５】
0006655179.tif 000006